(57)【要約】【課題】短距離専用通信を利用して運行車両の状態をチェックして車両の速度による警告及び取締りを効率的に行うシステムを提供する。【解決手段】上記のような目的を達成するための本発明短距離専用通信を利用した速度違反取締りシステムは、車両の速度情報を交通情報センタに発信し、その速度情報の処理結果を受信して出力する複数の路辺装置；車両内部に搭載されて車両の速度情報を前記路辺装置に送出し、前記路辺装置から処理結果を受信する車両搭載装置；速度感知センサから車両の速度を入力されて前記車両搭載装置に出力し、前記車両搭載装置から入力される処理結果を音声出力手段を通じて再生するように制御する電子制御装置；及び前記路辺装置から受信した車両の速度情報を分析してその分析結果による処理結果を路辺装置に出力する交通情報センタ；から構成されたことを特徴とする。【選択図】図１
2005004717.tif 000002
【特許請求の範囲】
【請求項１】
車両の速度情報を交通情報センタに送信し、前記速度情報の処理結果を前記交通情報センタから受信して、送信する複数の路辺装置；
車両内部に搭載され、前記車両の速度情報を前記路辺装置に送信し、前記路辺装置から送信された前記処理結果を受信する車両搭載装置；
速度感知センサから車両の速度を入力されて前記車両搭載装置に出力し、前記車両搭載装置から入力される前記処理結果を音声出力手段を通じて音声で出力するように制御する電子制御装置；及び
前記路辺装置から受信した車両の前記速度情報を分析し、その分析結果に基く前記処理結果を前記路辺装置に出力する交通情報センタ；
から構成されたことを特徴とする短距離専用通信を利用した速度違反取締りシステム。
【請求項２】
前記交通情報センタは、前記路辺装置から受信した車両の速度情報が予め設定されている所定の警告速度範囲内に属するかを判断し、この判断の結果、前記警告速度範囲内に属すれば警告メッセージを前記路辺装置に出力することを特徴とする請求項１に記載の短距離専用通信を利用した速度違反取締りシステム。
【請求項３】
前記交通情報センタは、前記路辺装置から受信した車両の速度情報が予め設定されている道路の制限速度を超過して違反したかを判断し、判断の結果、違反した場合には反則金額メッセージと共に取締りメッセージを前記路辺装置に送出することを特徴とする請求項１に記載の短距離専用通信を利用した速度違反取締りシステム。
【発明の詳細な説明】
【技術分野】
【０００１】
本発明は短距離専用通信を利用した速度違反取締りシステムに関し、特に、現在走行中である車両の状態を短距離専用通信（Ｄｅｄｉｃａｔｅｄ  Ｓｈｏｒｔ−Ｒａｎｇｅ  Ｃｏｍｍｕｎｉｃａｔｉｏｎ、ＤＳＲＣ）を利用してチェックして、車両の速度に関する警告及び取締りを効率的にできるようにするシステムに関する。
【背景技術】
【０００２】
一般に、道路での速度違反車両取締りは道路中央の上部に設けられた無人カメラを通じて対象車両の速度が一定速度以上である場合車両番号標部分を撮影して交通情報センタで判読した後、速度違反車の持ち主に反則金内訳を送付したり（例えば、特許文献１参照）、取締り警察官が道路脇、或は、取締り車両から直接速度測定機を通じて対象車両の速度を測定して一定速度以上である場合その場で違反車両に対して反則金ステッカーを発給して実施される（例えば、特許文献２参照）。
しかしながら、従来の方法においては無人カメラで撮影した写真を判読しなければならない煩わしさがあり、直接警察官が取締りする場合には人件費及び人力の浪費などの問題がある。
【０００３】
上記の従来技術では、いずれも違反車両を特定するために多くの手間がかかることが、違反車両の摘出を煩雑なものとしている。この煩雑さを回避する方法として、所定間隔をおいて車道に設置された速度検出用光ビーコンの間を車両が通過する場合、車両に搭載した車載機から光ビーコンに車両の固有番号（ＩＤ）が送信され、車両の速度が測定され、速度違反があれば、警告が返信される方法（例えば、特許文献３参照）が開示されている。しかし、この方法は速度違反情報を当該車両のみに送信し、違反取締り部署に送信されないため、運転者に違反を回避させる強制力に欠ける問題がある。
【特許文献１】特開２００３−１５１０７２号公報
【特許文献２】特開２００２−２０８０８９号公報
【特許文献３】特開２００２−１９００９４号公報
【発明の開示】
【発明が解決しようとする課題】
【０００４】
本発明の目的は、短距離専用通信を利用して走行車両の状態をチェックし、特に車両の速度に関する警告及び取締りを効率的にできるようにするシステムを提供することにある。
【課題を解決するための手段】
【０００５】
上記のような目的を達成するための本発明短距離専用通信を利用した速度違反取締りシステムは、車両の速度情報を交通情報センタに送信し、前記速度情報の処理結果を前記交通情報センタから受信して、送信する複数の路辺装置、車両内部に搭載され、前記車両の速度情報を前記路辺装置に送信し、前記路辺装置から送信された前記処理結果を受信する車両搭載装置、速度感知センサから車両の速度を入力されて前記車両搭載装置に出力し、前記車両搭載装置から入力される前記処理結果を音声出力手段を通じて音声で出力するように制御する電子制御装置、及び、前記路辺装置から受信した車両の前記速度情報を分析し、その分析結果に基く前記処理結果を前記路辺装置に出力する交通情報センタ、から構成されたことを特徴とする。
【発明の効果】
【０００６】
本発明に係る短距離専用通信を利用した速度違反取締りシステムは、従来行なわれていた違反車両の写真から登録番号を判読する作業の煩わしさや、時間の送れがなく、リアルタイムで車両の運転者に取締り事項などの情報を知らせ、また取締りだけではなく警告してスピートの出しすぎによる事故をあらかじめ防止するなどの効果がある。
【発明を実施するための最良の形態】
【０００７】
以下、本発明の実施例を添付図によって詳述する。
図１は本発明による速度違反取締りシステムの構成を示した説明図である。
図１に示すように、本発明による速度違反取締りシステムは、車両内部に速度感知センサ１０１と電子制御装置１０２（ＥＣＵ）、音声出力手段１０３及び、車両搭載装置（Ｏｎ−Ｂｏａｒｄ  Ｅｑｕｉｐｍｅｎｔ、ＯＢＥ）１００が備えられている。
速度感知センサ１０１は車両の速度を感知して電子制御装置１０２に入力するようになっており、音声出力手段１０３は電子制御装置１０２から入力された警告メッセージ、反則金額メッセージ、取締りメッセージなどのメッセージを音声で出力するようになっている。
電子制御装置１０２は速度感知センサ１０１から車両の速度が入力されて車両搭載装置１００に出力し、車両搭載装置１００から入力される警告メッセージ、反則金額メッセージ、取締りメッセージなどのメッセージを音声出力手段１０３に入力して音声で出力させる。
【０００８】
車両搭載装置１００は電子制御装置１０２から入力される車速情報を自車の車両固有情報と共に路辺装置（Ｒｏａｄ−Ｓｉｄｅ  Ｅｑｕｉｐｍｅｎｔ、ＲＳＥ）２００ａ〜２００ｎに発信し、路辺装置２００ａ〜２００ｎから車速処理結果即ち、警告メッセージ、反則金額メッセージ、取締りメッセージなどのようなメッセージを受信して電子制御装置１０２に入力するようになっている。
路辺装置２００ａ〜２００ｎは車両搭載装置１００から送信された車速情報及び車両固有情報を路辺装置自体の固有情報と共に交通情報センタ４００に転送し、交通情報センタ４００から車速情報の処理結果（速度違反をしているか否か）を受信して車両固有情報を利用して該当車両搭載装置１００に送信するようになっている。
【０００９】
交通情報センタ４００は路辺装置２００ａ〜２００ｎから転送された車速情報を分析してその分析結果による処理結果、例えば警告メッセージ、反則金額メッセージ、取締りメッセージなどのメッセージを路辺装置の固有情報を利用して該当路辺装置２００ａ〜２００ｎに転送するようになっている。この時、交通情報センタ４００にはマルチプレクサ（ｍｕｌｔｉｐｌｅｘｅｒ）３００を介して複数の路辺装置２００ａ〜２００ｎが連結される。
【００１０】
次に、本発明による一実施例の動作過程を説明する。
図２は本発明による速度違反取締り及び警告動作遂行を示したフローチャートである。
まず、電子制御装置１０２（ＥＣＵ）が速度感知センサ１０１から車両の速度情報をリアルタイムで入力されて車両搭載装置１００に転送する（Ｓ１００）。
車両搭載装置１００は予め保存されている車両固有情報（例えば車両登録番号など）と電子制御装置１０２から入力される車速情報を路辺装置２００ａ〜２００ｎにリアルタイムで送出する（Ｓ１０１）。
路辺装置２００ａ〜２００ｎは車両搭載装置１００から受信した情報と路辺装置自身の固有情報を共に交通情報センタ４００に転送する。
交通情報センタ４００はＯＢＥ情報（車両情報及び速度情報）とＲＳＥ情報（送出したＲＳＥ情報）を判読して該当車両の速度が予め設定されている所定の警告速度範囲（例えば制限速度が１００ｋｍ／ｈｒに設定された道路では９０〜１００ｋｍ／ｈｒの間の速度）に該当するかを判断する（Ｓ１０３）。この判断結果警告速度範囲に該当すれば、交通情報センタ４００が該当路辺装置２００ａ〜２００ｎに警告メッセージを転送する（Ｓ１０４）。
これによって、路辺装置２００ａ〜２００ｎは該当車両の車両搭載装置１００に警告メッセージを送出して（Ｓ１０５）、車両搭載装置１００は電子制御装置１０２を通じて音声出力手段１０３に警告メッセージを送り（Ｓ１０６）、音声出力手段１０３は運転者に警告メッセージを音声で通知する（Ｓ１０７）。
【００１１】
もし、段階（Ｓ１０３）の判断結果警告速度範囲に該当しなければ、既に設定されている道路の制限速度（例えば１００ｋｍ／ｈｒ）を超過して速度違反したかを判断し、判断の結果速度違反した場合には、反則金額メッセージと共に取締りメッセージを該当路辺装置２００ａ〜２００ｎに送り（Ｓ１０９）、路辺装置２００ａ〜２００ｎは該当車両の車両搭載装置１００に反則金額メッセージと取締りメッセージを送出する（Ｓ１１０）。
これによって、車両搭載装置１００は電子制御装置１０２を通じて音声出力手段１０３に反則金額メッセージと取締りメッセージを送り（Ｓ１１１）、音声出力手段１０３は運転者に反則金額メッセージと取締りメッセージを音声で通知する（Ｓ１１２）。
【００１２】
以上本発明の好ましい実施例を説明したが、これに限定されるのではなく、特許請求の範囲の技術的範囲内で、様々に変形して実施することが可能である。
【図面の簡単な説明】
【００１３】
【図１】本発明による速度違反取締システムの構成を示した例示図である。
【図２】本発明による速度違反取締り及び警告動作遂行を示したフローチャートである。
【符号の説明】
【００１４】
１００  車両搭載装置
１０１  センサ
１０２  電子制御装置
１０３  音声出力手段
２００  路辺装置
３００  マルチプレクサ
４００  交通情報センタ
【図１】
2005004717.tif 000003
【図２】
2005004717.tif 000004